(57)【要約】【課題】  トランクルームの奥側に収納されている荷物の取り出し作業を容易に行うことができる車両用トランクボード装置を提供する。【解決手段】  トランクボード２０は、案内支持機構１０によってトランクルーム１の床面２に沿う下段位置と、この下段位置から所定高さだけ上方に変位した上段位置とに配置切換可能に支持される。案内支持機構１０は、トランクボード２０を手前側に引き出す動作によって下段位置から上段位置に案内する機能と、手前側に移動案内する機能と、を兼ね備えている。【選択図】        図３
2007106204.tif 000002
【特許請求の範囲】
【請求項１】
車両のトランクルームに設置されるトランクボードを備えた車両用トランクボード装置であって、
前記トランクボードは、案内支持機構によって前記トランクルームの床面に沿う下段位置と、この下段位置から所定高さだけ上方に変位した上段位置とに配置切換可能に支持され、
前記案内支持機構は、前記トランクボードを手前側に引き出す動作によって前記下段位置から前記上段位置に案内する機能と、手前側に移動案内する機能と、を兼ね備えていることを特徴とする車両用トランクボード装置。
【請求項２】
請求項１に記載の車両用トランクボード装置であって、
トランクボードの手前側には、トランクルームの側壁部に設けられる下段、上段のロック部に係合して前記トランクボードを下段位置と上段位置に係脱可能にロックするロックバーと、このロックバーをロック解除動作する操作ハンドルを有するロック機構が配設され、
前記ロック機構の操作ハンドルは、前記トランクボードを配置切換するためのハンドルを兼用していることを特徴とする車両用トランクボード装置。
【請求項３】
請求項１又は２に記載の車両用トランクボード装置であって、
トランクボードは、方形枠状をなすボード本体枠と、このボード本体枠の開口部に開閉可能に装着された開閉ボード体と、を備えて構成されていることを特徴とする車両用トランクボード装置。
【発明の詳細な説明】
【技術分野】
【０００１】
この発明は車両のトランクルームに設置される車両用トランクボード装置に関する。
【背景技術】
【０００２】
主としてセダンタイプの乗用車においては、一般的にトランクルームの奥行き寸法が大きく設定されているため、トランクルームの奥側に収納されている荷物は取り出し難くなる。
このようなことから、トランクルームの床面上に、前後方向に延びる案内レール機構を介してトランクボード（トランクフロアパネル）を前後方向に出し入れ可能に装着したものが知られている（特許文献１参照）。
【特許文献１】特開２００３−２０５７８７
【発明の開示】
【発明が解決しようとする課題】
【０００３】
ところで、特許文献１に開示されたものにおいては、トランクボードを手前側（車両の後側）に引き出すときに、そのトランクボードがトランクルームの後壁（エンドパネル）に衝突しないように、トランクルームの後壁の高さをトランクボードの高さと略同じ高さに設定しなければならず、車両の後部デザインが制約される。
また、トランクルームの床面の高さが低い場合においては、手前側に引き出されたトランクボード上の荷物を取り出すときに、腰を屈めて持ち上げながら取り出さなければならず、荷物の取り出し作業が厄介となる場合があった。
【０００４】
この発明の目的は、前記従来の問題点に鑑み、トランクルームの奥側に収納されている荷物の取り出し作業を容易に行うことができる車両用トランクボード装置を提供することである。
【課題を解決するための手段】
【０００５】
前記目的を達成するために、この発明の請求項１に係る車両用トランクボード装置は、車両のトランクルームに設置されるトランクボードを備えた車両用トランクボード装置であって、
前記トランクボードは、案内支持機構によって前記トランクルームの床面に沿う下段位置と、この下段位置から所定高さだけ上方に変位した上段位置とに配置切換可能に支持され、
前記案内支持機構は、前記トランクボードを手前側に引き出す動作によって前記下段位置から前記上段位置に案内する機能と、手前側に移動案内する機能と、を兼ね備えていることを特徴とする。
【０００６】
前記構成において、トランクルームの床面に沿う下段位置にトランクボードが配置され、トランクルームの奥側に位置するトランクボード上に載置された荷物を取り出す場合、トランクボードを手前側（車両の後側）に引き出すと、トランクボードが案内支持機構によって下段位置から上段位置に案内されると共に、奥側から手前側に引き出し案内される。
これによって、トランクボード上に載置された荷物がトランクボードと共に上段位置でかつ手前側に変位される。
【０００７】
請求項２に係る車両用トランクボード装置は、請求項１に記載の車両用トランクボード装置であって、
トランクボードの手前側には、トランクルームの側壁部に設けられる下段、上段のロック部に係合して前記トランクボードを下段位置と上段位置に係脱可能にロックするロックバーと、このロックバーをロック解除動作する操作ハンドルを有するロック機構が配設され、
前記ロック機構の操作ハンドルは、前記トランクボードを配置切換するためのハンドルを兼用していることを特徴とする。
【０００８】
前記構成において、ロック機構のロックバーが下段のロック部に係合することで、トランクボードが下段位置にロックされる。また、ロック機構のロックバーが上段のロック部に係合することで、トランクボードが上段位置にロックされる。
このため、車両走行時等において下段位置に配置されたトランクボードが不測にがたついて異音を発生したり、あるいは、上段位置に配置されたトランクボードが下段位置に不測に移動することを防止することができる。
また、ロック機構の操作ハンドルがトランクボードの配置切換のハンドルを兼用しているため、ロック機構専用の操作ハンドルとトランクボードの配置切換用の専用のハンドルとをそれぞれ個別に設ける必要がなく、構造が簡単化し安価に提供することができる。
【０００９】
請求項３に係る車両用トランクボード装置は、請求項１又は２に記載の車両用トランクボード装置であって、
トランクボードは、方形枠状をなすボード本体枠と、このボード本体枠の開口部に開閉可能に装着された開閉ボード体と、を備えて構成されていることを特徴とする。
【００１０】
前記構成において、例えば、トランクボードが下段位置に配置されることで、大型の荷物をトランクボード上に載置してトランクルーム内に収納することができる。
また、トランクボードが上段位置に配置された状態において、トランクルーム内をトランクボードによって上下に仕切ることができる。
また、トランクボードのボード本体枠に対し開閉ボード体を開いた状態において、トランクルーム内の床面に対し荷物の出し入れを行うことができる。
さらに、ボード本体枠に対し開閉ボード体を閉じた状態で、上段のトランクボード上に荷物を載置して収納することができ、トランクボードを中間仕切壁として複数の荷物を上下二段に区分けしてトランクルーム内に収納することができ、使い勝手の向上を図ることができる。
【発明の効果】
【００１１】
この発明によれば、トランクルームの奥側に位置してトランクボード上に載置された荷物を取り出す場合、トランクボードを手前側（車両の後側）に引き出すことで、トランクボード上に載置された荷物が、トランクボードと共に上段位置でかつ手前側に変位されるため、トランクボード上に載置された荷物を楽な姿勢で容易に取り出すことができる。
【発明を実施するための最良の形態】
【００１２】
次に、この発明を実施するための最良の形態を実施例にしたがって説明する。
【実施例１】
【００１３】
図１はこの発明の実施例１に係る車両用トランクボード装置がトランクルームの床面上に設置されかつトランクボードが下段位置に配置された状態を示す斜視図である。図２はトランクボードが手前側に引き出されて上段位置に配置された状態を示す斜視図である。図３はトランクルームの床面からトランクボードが分離された状態を示す斜視図である。図４は下段位置に配置されたトランクボード上に荷物が載置されて収納された状態を示す側断面図である。図５はトランクボードが手前側に引き出されて上段位置に配置された状態を示す側断面図である。図６はトランクボードのロック機構を示す正面図である。図７は上段位置に配置されたトランクボードの開閉ボード体を開いて荷物を出し入れする状態を示す側断面図である。図８はトランクボードを中間仕切壁として複数の荷物を上下二段に区分けしてトランクルーム内に収納した状態を示す側断面図である。
【００１４】
図１〜図３に示すように、車両、主としてセダンタイプの乗用車のトランクルーム１の床面２には、その略全域にわたりかつ次に述べるトランクボード２０が嵌込まれて収納される大きさの四角形状をなす格納凹部３が形成されている。
トランクボード２０は、案内支持機構１０によってトランクルーム１の床面２に沿う下段位置、この実施例１においては床面２と略同一面をなして格納凹部３内に格納される下段位置と、この下段位置から所定高さだけ上方に変位した上段位置とに配置切換可能に支持されている。
また、案内支持機構１０は、トランクボード２０を手前側斜め上方に引き出す動作によって下段位置から上段位置に案内する機能と、手前側に移動案内する機能と、を兼ね備えている。
【００１５】
この実施例１において、トランクボード２０は、ボード本体枠２１と開閉ボード体４０とを備えて構成されている。
ボード本体枠２１は、奥枠部２２、手前枠部２４及び左右の両側枠部２３によって格納凹部３に嵌込まれる大きさの方形枠状に形成されている。
ボード本体枠２１の左右の両側枠部２３は、下端開口の横断面略逆Ｕ字状に形成され、その枠内の前後部の計４箇所には、案内支持機構１０としての四節の平行リンク機構を構成するリンクアーム１２の一端部が連結軸１３によって回動可能に取り付けられ、各リンクアーム１２の他端が格納凹部３の底面上に突設されたブラケット１１に連結軸１４によって回動可能に取り付けられている。
【００１６】
すなわち、図１と図４に示すように、トランクボード２０が床面２と略同一面をなして格納凹部３内に格納される下段位置に配置された状態において、各リンクアーム１２はトランクルーム１の奥側に向けて倒伏されて左右の両側枠部２３内に納めされるようになっている。
また、トランクボード２０が下段位置に配置された状態において、トランクボード２０を手前側斜め上方に引き出す動作によって、図２と図５に示すように、各リンクアーム１２がブラケット１１の連結軸１４を中心として起立され、これによって、トランクボード２０が下段位置から所定高さだけ上方に変位した上段位置に案内されるとともに、手前側に移動案内されるようになっている。
なお、この実施例１において、各リンクアーム１２は、ばね（図示しない）によって起立方向に付勢され、トランクボード２０を手前側斜め上方に引き出す操作がばねの付勢力に相当する分だけ軽減されるようになっている。
【００１７】
図３と図６に示すように、トランクボード２０の手前側、すなわち、ボード本体枠２１の手前枠部２４には、トランクルーム１の側壁部に設けられる下段、上段のロック部６、７に係合してトランクボード２０を下段位置と上段位置に係脱可能にロックするロック機構３０が配設されている。
図６に示すように、ロック機構３０は、ボード本体枠２１の手前枠部２４に固定された左右一対の横方向に延びる案内筒３１と、これら両案内筒３１に移動可能に嵌挿されかつばね（図示しない）によって下段、上段のロック部６、７に係合するロック方向に付勢された両ロックバー３２と、これら両ロックバー３２の相対する端部に連結リンク３６によって両端部が連結された操作ハンドル３５と、を備えて構成されている。
そして、操作ハンドル３５を把持して上方に持ち上げることで、両ロックバー３２が、ばねの付勢力に抗してロック解除方向に移動され、これによって、両ロックバー３２の先端部３２ａが下段ロック部６又は上段ロック部７から抜け出てロック解除されるようになっている。
また、この実施例１において、ロック機構３０の操作ハンドル３５は、トランクボード２０を手前側に引き出すハンドルを兼用している。
また、この実施例１において、図２と図３に示すように、手前枠部２４には、ロック機構３０の操作ハンドル３５のハンドル操作を許容する切込部２７を有してロック機構３０を覆う枠カバー体２６が装着されている。
【００１８】
図３に示すように、ボード本体枠２１には、その開口部を塞ぐ大きさの四角板状の開閉ボード体４０がその奥側において開閉軸４１を中心として開閉可能に装着されている。そして、開閉ボード体４０は、ボード本体枠２１の左右の両側枠部２３と略同一面をなして閉じられ、その開閉ボード体４０の先端部がボード本体枠２１の手前枠部２４の上面に受けられるようになっている。
また、開閉ボード体４０の手前側部分には、開閉ボード体４０を開閉するための取手４２が凹設されるとともに、その取手４２には、ボード本体枠２１に対し開閉ボード体４０を閉じ状態に係脱可能にロックするための閉止ロック機構４２のロック解除操作部（図示しない）が内設されている。
【００１９】
この実施例１に係る車両用トランクボード装置は上述したように構成される。
したがって、図４に示すように、トランクボード２０がトランクルーム１の床面２の格納凹部３に格納されて下段位置に配置され、トランクルーム１の奥側に位置するトランクボード２０上に載置された荷物５０を取り出す場合、まず、ロック機構３０の操作ハンドル３５を把持して上方に持ち上げることで、両ロックバー３２が、ばねの付勢力に抗してロック解除方向に移動され、これによって両ロックバー３２の先端部３２ａが下段ロック部６から抜け出てロック解除される。
【００２０】
引き続いて、操作ハンドル３５を把持した状態のもとで、トランクボード２０を手前側斜め上方に引き出す。すると、トランクボード２０の引き出し動作によって、図５に示すように、各リンクアーム１２がブラケット１１の連結軸１４を中心として起立され、これによって、トランクボード２０が下段位置から所定高さだけ上方に変位した上段位置に案内されるとともに、手前側に移動案内される。すなわち、トランクボード２０が手前側斜め上方に平行移動される。
ここで、操作ハンドル３５を開放することによって、ロック機構３０の両ロックバー３２がばねの付勢力によってロック方向に移動され、これら両ロックバー３２の先端部３２ａが上段ロック部７に係合し、これによって、トランクボード２０が上段位置にロックされる。
【００２１】
前記したようにして、トランクボード２０上に載置された荷物がトランクボード２０と共に上段位置でかつ手前側に変位される。このため、トランクボード２０上に載置された荷物を楽な姿勢で容易に取り出すことができる。
【００２２】
また、この実施例１において、前記したように、ロック機構３０のロックバー３２が下段ロック部６に係合することで、トランクボード２０が下段位置にロックされる。また、ロック機構３０のロックバー３２が上段ロック部７に係合することで、トランクボード２０が上段位置にロックされる。
このため、車両走行時等において下段位置に配置されたトランクボード２０が不測にがたついて異音を発生したり、あるいは、上段位置に配置されたトランクボード２０が下段位置に不測に移動することを防止することができる。
また、ロック機構３０の操作ハンドル３５がトランクボード２０の配置切換のハンドルを兼用しているため、ロック機構３０専用の操作ハンドル３５とトランクボード２０の配置切換用の専用のハンドルとをそれぞれ個別に設ける必要がなく、構造が簡単化し安価に提供することができる。
【００２３】
また、この実施例１において、トランクボード２０は、方形枠状をなすボード本体枠２１と、このボード本体枠２１の開口部に開閉可能に装着された開閉ボード体４０を備えて構成されている。
このため、例えば、トランクボード２０が下段位置に配置されることで、大型の荷物をトランクボード２０上に載置してトランクルーム１内に収納することができる。
また、図７に示すように、上段位置に配置されたトランクボード２０のボード本体枠２１に対し開閉ボード体４０を開いた状態において、トランクルーム１内の格納凹部３に対し荷物５１、５２の出し入れを行うことができる。
さらに、図８に示すように、ボード本体枠２１に対し開閉ボード体４０を閉じた状態で、上段のトランクボード２０上に荷物５３を載置して収納することができ、トランクボード２０を中間仕切壁として複数の荷物５１、５２、５３を上下二段に区分けしてトランクルーム１内に収納することができ、使い勝手の向上を図ることができる。
【００２４】
なお、この発明は前記実施例１に限定するものではなく、この発明の要旨を逸脱しない範囲内において、種々なる形態で実施し得ることは勿論である。
例えば、前記実施例１においては、トランクボード２０の案内支持機構１０が四節の平行リンク機構をなすリンクアーム１２によって構成される場合を例示したが、図９に示すように、案内レール１５と摺動体（例えば、ピン）１６によって案内支持機構１０を構成してもこの発明を実施することができる。
この場合、トランクルーム１の側壁に手前側斜め上方に傾斜する案内レール１５を固定状態で配置し、トランクボード２０の両ボード本体枠２１の左右の側枠部に案内レール１５に沿って移動案内される摺動体１６を配設することで、案内支持機構１０を容易に構成することができる。
【図面の簡単な説明】
【００２５】
【図１】この発明の実施例１に係る車両用トランクボード装置がトランクルームの床面上に設置されかつトランクボードが下段位置に配置された状態を示す斜視図である。
【図２】同じくトランクボードが手前側に引き出されて上段位置に配置された状態を示す斜視図である。
【図３】同じくトランクルームの床面からトランクボードが分離された状態を示す斜視図である。
【図４】同じく下段位置に配置されたトランクボード上に荷物が載置されて収納された状態を示す側断面図である。
【図５】同じくトランクボードが手前側に引き出されて上段位置に配置された状態を示す側断面図である。
【図６】同じくトランクボードのロック機構を示す正面図である。
【図７】同じく上段位置に配置されたトランクボードの開閉ボード体を開いて荷物を出し入れする状態を示す側断面図である。
【図８】同じくトランクボードを中間仕切壁として複数の荷物を上下二段に区分けしてトランクルーム内に収納した状態を示す側断面図である。
【図９】この発明の他の実施例を示し傾斜状の案内レールを備えた案内支持機構を示す説明図である。
【符号の説明】
【００２６】
１  トランクルーム
２  床面
３  格納凹部
６  上段ロック部
７  下段ロック部
１０  案内支持機構
１２  リンクアーム
２０  トランクボード
２１  ボード本体枠
３０  ロック機構
３２  ロックバー
３５  操作ハンドル
４０  開閉ボード体
【図１】
2007106204.tif 000003
【図２】
2007106204.tif 000004
【図３】
2007106204.tif 000005
【図４】
2007106204.tif 000006
【図５】
2007106204.tif 000007
【図６】
2007106204.tif 000008
【図７】
2007106204.tif 000009
【図８】
2007106204.tif 000010
【図９】
2007106204.tif 000011